(57)【要約】      （修正有）【課題】重量を微調整可能なダンベル組立体を提供する。【解決手段】第１の端部１２および第２の端部１３を含むハンドルバー１０とハンドルバー１０の第１の端部１２に取り付けられたハウジング２０とウェイト部材５０とハンドルバー１０に係合されたラッチ１４、１５とを備える。第１のウェイト要素５１および第２のウェイト要素５２は、ハウジング２０に係合される。キャッチ３０は、ハウジング２０に係合され、第１のウェイト要素５１または第２のウェイト要素５２のいずれかと係合するようにハウジング２０から伸張可能である。【選択図】図１
0003225420.tif 000002
【実用新案登録請求の範囲】
【請求項１】
第１の端部（１２）および第２の端部（１３）を含むハンドルバー（１０）と、
前記ハンドルバー（１０）の前記第１の端部（１２）に取り付けられたハウジング（２０）と、
ウェイト部材（５０）と、
前記ハンドルバー（１０）に係合されたラッチ（１４、１５）と、
を備えるダンベル組立体であって、
第１のウェイト要素（５１）、第２のウェイト要素（５２）、キャッチ（３０）を有し、
前記第１のウェイト要素（５１）および前記第２のウェイト要素（５２）は、前記ハウジング（２０）に係合され、
前記キャッチ（３０）は、前記ハウジング（２０）に係合され、前記第１のウェイト要素（５１）または前記第２のウェイト要素（５２）のいずれかと係合するように前記ハウジング（２０）から伸張可能であるダンベル組立体。
【請求項２】
前記ハウジング（２０）は、前記キャッチ（３０）と係合するためのチャネル（２５）と、前記チャネル（２５）と連通し前記第１のウェイト要素（５１）および前記第２のウェイト要素（５２）と係合するためのチャンバ（２４）と、を含む請求項１に記載のダンベル組立体。
【請求項３】
前記第１のウェイト要素（５１）は、少なくとも１つの開口（５５）と、前記第２のウェイト要素（５２）と係合するためのコンパートメント（５３）と、を含み、
前記第１のウェイト要素（５１）は、前記開口（５５）を有するアーム（５４）を含み、
前記第２のウェイト要素（５２）は、少なくとも１つのオリフィス（５８）と、空間（５６）と、前記オリフィス（５８）を有する少なくとも１つのリム（５７）を含む請求項１に記載のダンベル組立体。
【考案の詳細な説明】
【技術分野】
【０００１】
本考案は、ダンベル組立体に関する。
【背景技術】
【０００２】
従来、典型的な調整可能なダンベルが開発されており、各々、ハンドルに調整可能に固定された多数のウェイトリングを含む。
【考案の概要】
【考案が解決しようとする課題】
【０００３】
しかしながら、ダンベルの重量は、微調整するのが困難である。
【０００４】
本考案の目的は、重量を微調整可能なダンベル組立体を提供することにある。
【課題を解決するための手段】
【０００５】
本考案は、第１の端部（１２）および第２の端部（１３）を含むハンドルバー（１０）と、ハンドルバー（１０）の第１の端部（１２）に取り付けられたハウジング（２０）と、ウェイト部材（５０）と、ハンドルバー（１０）に係合されたラッチ（１４、１５）と、を備えるダンベル組立体であって、第１のウェイト要素（５１）、第２のウェイト要素（５２）、キャッチ（３０）を有する。
【０００６】
第１のウェイト要素（５１）および第２のウェイト要素（５２）は、ハウジング（２０）に係合される。キャッチ（３０）は、ハウジング（２０）に係合され、第１のウェイト要素（５１）または第２のウェイト要素（５２）のいずれかと係合するようにハウジング（２０）から伸張可能である。
【０００７】
また、ハウジング（２０）は、キャッチ（３０）と係合するためのチャネル（２５）と、チャネル（２５）と連通し第１のウェイト要素（５１）および第２のウェイト要素（５２）と係合するためのチャンバ（２４）と、を含む。
【０００８】
また、第１のウェイト要素（５１）は、少なくとも１つの開口（５５）と、第２のウェイト要素（５２）と係合するためのコンパートメント（５３）と、を含む。第１のウェイト要素（５１）は、開口（５５）を有するアーム（５４）を含む。第２のウェイト要素（５２）は、少なくとも１つのオリフィス（５８）と、空間（５６）と、オリフィス（５８）を有する少なくとも１つのリム（５７）を含む。
【０００９】
調節可能なダンベル装置（組立体）は、ハンドルバーと、ハンドルバーの一端に取り付けられたハウジングと、ハウジング内に係合可能な１つ以上のウェイト要素と、ハウジング内に摺動可能に受け入れられて係合され、ウェイト要素のいずれかと係合し、ウェイト要素のいずれかをハウジングおよびハンドルバーに固定し、ダンベルアセンブリの重量を微調整するために、ハウジングから伸長可能なキャッチとを含む。ハウジングは、キャッチを摺動可能に受け入れるためのチャネルを含む。ハウジングはウェイト要素を受け入れて係合するために、ハウジングのチャネルと連通するチャンバを含む。
【図面の簡単な説明】
【００１０】
【図１】一実施形態によるダンベル組立体の分解斜視図。
【図２】一実施形態によるダンベル組立体の分解正面図。
【図３】一実施形態によるダンベル組立体の側面図。
【図４】一実施形態によるダンベル組立体の斜視図。
【図５】一実施形態によるダンベル組立体の断面図。
【図６】一実施形態によるダンベル組立体の分解断面図。
【図７】一実施形態によるダンベル組立体の分解断面図。
【図８】一実施形態によるダンベル組立体の分解断面図。
【考案を実施するための形態】
【００１１】
（一実施形態）
図１〜図５を参照すると、調節可能なダンベル組立体は、ハンドルバー１０に固定される多数のウェイト部材５０を含む。ハンドルバー１０は、ボア１１と、ハウジング２０をそれぞれ有する２つの端部１２、１３とを含む。ボア１１は、ハウジング２０を貫通して形成される。ハウジング２０は、ボア１１と連通するダブテールスロット２１（図１参照）と、上部に形成されハンドルバー１０のボア１１と連通するキャビティ２２と、ハウジング２０に形成されハウジング２０のキャビティ２２と連通する座部２３とを含む。
【００１２】
２つのラッチ１４、１５（図１、図５参照）は、ボア１１内に係合され、多数のウェイト部材５０をハウジング２０又はハンドルバー１０に取り付けるために、ハウジング２０及びハンドルバー１０から伸長可能である。レセプタクル８０は、ウェイト部材５０及び／又はハウジング２０と係合するための多数の開口８１を含む。
【００１３】
ばね付勢ノブ１７は、各ラッチ１４、１５に取り付けられ、ハウジング２０のキャビティ２２または座部２３と係合し、ラッチ１４、１５をハウジング２０に固定する。ハウジング２０は、各々、ハウジング２０のチャンバ２４と係合するためのＵ字形である１つ以上のウェイト要素５１、５２と係合するためのＵ字形チャンバ２４を含む。
【００１４】
第１のウェイト要素５１は、第２のウェイト要素５２と係合し、それぞれが開口５５を有する２つのアーム５４を形成するためのコンパートメント５３を含む。第２のウェイト要素５２は、それぞれがアーム５４の開口５５と位置合わせされたオリフィス５８を有する２つのリム５７を形成するための空間５６を含む。ハウジング２０は、それぞれ、キャッチ３０と係合するためのチャネル２５を含む。ハンドグリップ３１は、キャッチ３０に取り付けられて、キャッチ３０を移動させて、ウェイト要素５１、５２のアーム５４またはリム５７と係合させる。
【００１５】
動作中、キャッチ３０がハウジング２０のチャネル２５に係合すると（図８参照）、キャッチ３０は、アーム５４およびリム５７と係合せず、ウェイト要素５１、５２をハウジング２０に固定しない。キャッチ３０がハウジング２０から一方向（図６における右方向）に移動してリム５７のオリフィス５８と係合すると、第２のウェイト要素５２は、ハウジング２０に固定される。キャッチ３０がハウジング２０の他方の方向（左方向）に動かされてアーム５４の開口５５（図７参照）と係合すると、両方のウェイト要素５１、５２は、ダンベルの重量を微調整するためにハウジング２０に固定される。ノブ１７は、選択された数のウェイト部材５０をハウジング２０またはハンドルバー１０に固定するために、ウェイト部材５０（図４〜５参照）と係合するようにラッチ１４、１５を作動させることができる。
【符号の説明】
【００１６】
１０  ハンドルバー、１２  第１の端部、１３  第２の端部、１４、１５  ラッチ、２０  ハウジング、３０  キャッチ、５０  ウェイト部材、５１  第１のウェイト要素、５２  第２のウェイト要素
【図１】
0003225420.tif 000003
【図２】
0003225420.tif 000004
【図３】
0003225420.tif 000005
【図４】
0003225420.tif 000006
【図５】
0003225420.tif 000007
【図６】
0003225420.tif 000008
【図７】
0003225420.tif 000009
【図８】
0003225420.tif 000010